(57)【要約】【課題】把持に伴う荷重が適切であるか否かを報知することができる棒状体を提供する。【解決手段】棒状体としてのスタイラスペン１は、本体２の把持部２２に接する指によって付加された荷重を検出する荷重検出部３と、検出された荷重が過荷重である場合、報知する報知部４と、を備えて概略構成されている。このスタイラスペン１は、第１の側面部２２１に付加された荷重が予め定められた荷重以上の過荷重であった場合、オン状態となって回路６が閉じ、ＬＥＤ素子の発光によって強く把持し過ぎていることを報知するので、この構成を採用しない場合と比べて、ユーザが強く把持し過ぎていることを自覚することができる。【選択図】図１
2019168506.tif 000002
【特許請求の範囲】
【請求項１】
本体の把持部に接する指によって付加された荷重を検出する荷重検出部と、
検出された荷重が過荷重である場合、報知する報知部と、
を備えた棒状体。
【請求項２】
前記荷重検出部は、第１の荷重以上の荷重が前記把持部に付加されると第１の状態又は第２の状態に切り替わると共にクリック感を生成する第１の荷重検出部、及び前記第１の荷重より大きい第２の荷重以上の前記過荷重が前記把持部に付加されると前記第１の状態又は前記第２の状態に切り替わる第２の荷重検出部を有し、
前記報知部は、前記第１の荷重検出部の状態が切り替わった場合、第１の報知を行い、前記第２の荷重検出部の状態が切り替わった場合、第２の報知を行う、
請求項１に記載の棒状体。
【請求項３】
前記第１の荷重検出部及び前記第２の荷重検出部の間に配置され、前記把持部に付加された荷重が前記第２の荷重以上となってから前記第２の荷重検出部が前記第１の状態又は前記第２の状態に切り替わるように変形して荷重を調整する荷重調整部を備えた請求項２に記載の棒状体。
【請求項４】
前記荷重検出部は、第１の指による荷重を検出する第１の荷重検出部、第２の指による荷重を検出する第２の荷重検出部、及び第３の指による荷重を検出する第３の荷重検出部を有し、
前記報知部は、前記第１の荷重検出部乃至前記第３の荷重検出部の少なくとも１つが前記過荷重を検出した場合、報知を行う、
請求項１に記載の棒状体。
【請求項５】
前記報知部は、音、光及び振動の少なくとも１つを用いて報知を行う、
請求項１乃至４のいずれか１項に記載の棒状体。
【請求項６】
前記把持部は、断面が三角形状である、
請求項１乃至５のいずれか１項に記載の棒状体。
【発明の詳細な説明】
【技術分野】
【０００１】
本発明は、棒状体に関する。
【背景技術】
【０００２】
従来の技術として、グリップ部の断面形状を三角形にし、テーパー状の先口部と該グリップ部の境界に円周縁を設けるとともに、該円周縁の後方に、触覚で分かる円周突起もしくは段部を設けた幼児用シャープペンシルが知られている（例えば、特許文献１参照。）。
【０００３】
この幼児用シャープペンシルは、筆記具の正しい持ち方を体得することができ、しかも回しながら筆記することが可能で同じ太さの字を書くことができる。
【先行技術文献】
【特許文献】
【０００４】
【特許文献１】特開平１０−１００５８２号公報
【発明の概要】
【発明が解決しようとする課題】
【０００５】
しかし従来の幼児用シャープペンシルは、把持する際の力（荷重）が適切であるか否かを自覚することができず、また第三者から見ても分からないので矯正指導が困難である。
【０００６】
従って本発明の目的は、把持に伴う荷重が適切であるか否かを報知することができる棒状体を提供することにある。
【課題を解決するための手段】
【０００７】
本発明の一態様は、本体の把持部に接する指によって付加された荷重を検出する荷重検出部と、検出された荷重が過荷重である場合、報知する報知部と、を備えた棒状体を提供する
【発明の効果】
【０００８】
本発明によれば、把持に伴う荷重が適切であるか否かを報知することができる。
【図面の簡単な説明】
【０００９】
【図１】図１（ａ）は、第１の実施の形態に係るスタイラスペンの一例を示す概略図であり、図１（ｂ）は、スタイラスペンの持ち方の一例を示す概略図である。
【図２】図２（ａ）は、第１の実施の形態に係るスタイラスペンの把持部と各指との接触の仕方の一例を示す概略図であり、図２（ｂ）は、スタイラスペンの回路図の一例である。
【図３】図３（ａ）は、第１の実施の形態に係るスタイラスペンの図１（ａ）のＡ−Ａ線で切断した断面を矢印方向から見た断面図の一例であり、図３（ｂ）は、図３（ａ）のＢ−Ｂ線で切断した断面を矢印方向から見た断面図の一例である。
【図４】図４（ａ）は、第２の実施の形態に係るスタイラスペンの断面図の一例であり、図４（ｂ）は、スタイラスペンの回路図の一例である。
【図５】図５（ａ）は、第３の実施の形態に係るスタイラスペンの断面図の一例であり、図５（ｂ）は、スタイラスペンの回路図の一例であり、図５（ｃ）は、変形例に係るスタイラスペンの回路図の一例である。
【発明を実施するための形態】
【００１０】
（実施の形態の要約）
実施の形態に係る棒状体は、本体の把持部に接する指によって付加された荷重を検出する荷重検出部と、検出された荷重が過荷重である場合、報知する報知部と、を備えて概略構成されている。
【００１１】
この棒状体は、把持に伴う荷重が適切であるか否かを報知することができるので、この構成を採用しない場合と比べて、ユーザが適切な荷重であるか否かを自覚することができると共に矯正指導を行う第三者が適切な荷重であるか否かを認識することができる。
【００１２】
[第１の実施の形態]
（スタイラスペン１の概要）
図１（ａ）は、第１の実施の形態に係るスタイラスペンの一例を示す概略図であり、図１（ｂ）は、スタイラスペンの持ち方の一例を示す概略図である。図２（ａ）は、第１の実施の形態に係るスタイラスペンの把持部と各指との接触の仕方の一例を示す概略図であり、図２（ｂ）は、スタイラスペンの回路図の一例である。図３（ａ）は、第１の実施の形態に係るスタイラスペンの図１（ａ）のＡ−Ａ線で切断した断面を矢印方向から見た断面図の一例であり、図３（ｂ）は、図３（ａ）のＢ−Ｂ線で切断した断面を矢印方向から見た断面図の一例である。なお、以下に記載する実施の形態に係る各図において、図形間の比率は、実際の比率とは異なる場合がある。また数値範囲を示す「Ａ〜Ｂ」は、Ａ以上Ｂ以下の意味で用いるものとする。
【００１３】
本実施の形態の棒状体は、一例として、スタイラスペン１である。このスタイラスペン１は、例えば、図１（ａ）に示すように、タッチパッド９の検出面９０にペン先２４を接触させて移動させたり、ペン先２４でタップしたりすることで文字などを入力したり、表示装置に表示されたカーソルを移動させたり、アイコンの選択、決定を指示したりすることができるポインティングデバイスである。
【００１４】
なお棒状体は、スタイラスペン１に限定されず、一例として、万年筆、ボールペンなどの筆記具、箸、楽器のスティックなどの把持する際の荷重の加減が上達の要素の１つとなるものであっても良い。
【００１５】
スタイラスペン１は、例えば、図１（ａ）〜図２（ｂ）に示すように、本体２の把持部２２に接する指によって付加された荷重を検出する荷重検出部３と、検出された荷重が過荷重である場合、報知する報知部４と、を備えて概略構成されている。この過荷重は、一例として、４Ｎであるがこれに限定されない。
【００１６】
このスタイラスペン１の本体２は、例えば、図１（ａ）に示すように、円柱形状を有する軸部２０と、把持部２２と、を備えて概略構成されている。また本体２は、先端にペン先２４が取り付けられている。なお本体２は、一例として、樹脂によって形成されるがこれに限定されず、例えば、金属で形成されても良いし、樹脂と金属とによって形成されても良い。
【００１７】
把持部２２は、軸部２０の先端側に設けられている。具体的には、把持部２２は、例えば、図１（ｂ）及び図２（ａ）に示すように、正しい持ち方によって親指８１、人差指８２及び中指８３が接触する位置に設けられている。より具体的には、把持部２２は、例えば、正しい持ち方である、ペン先２４の先端から３ｃｍ程度の場所を含むように設けられている。
【００１８】
この把持部２２は、例えば、図２（ａ）及び図３（ａ）に示すように、断面が三角形状となっている。そして把持部２２は、３つの側面部（第１の側面部２２１〜第３の側面部２２３）のいずれか１つの側面部と隣接する側面部との間に２つのスリットが設けられている。
【００１９】
本実施の形態では、例えば、図３（ａ）に示すように、第１の側面部２２１と第２の側面部２２２との間にスリット２２４が設けられ、第１の側面部２２１と第３の側面部２２３との間にスリット２２６が設けられている。このスリット２２４及びスリット２２６は、中心軸１５に沿って形成されている。
【００２０】
なお中心軸１５は、例えば、図１（ａ）に示すように、スタイラスペン１の先端から終端を貫く軸である。そしてスタイラスペン１は、この中心軸１５を回転軸とした回転に対して対称な形状を有している。
【００２１】
第１の側面部２２１は、例えば、図３（ａ）に示すように、スリット２２４及びスリット２２６が形成されているので、側面２２１ａに付加された荷重Ｆによって荷重検出部３側に移動するように構成されている。なお第１の側面部２２１は、スリットがなく、自身が撓むことで荷重検出部３に荷重を付加する構成であっても良い。
【００２２】
第１の側面部２２１は、例えば、図３（ａ）に示すように、側面２２１ａの裏側に荷重検出部３と対向する押子２２１ｃが設けられている。そして押子２２１ｃの先端部２２１ｄは、荷重検出部３と接触して荷重を伝達するように構成されている。
【００２３】
また第１の側面部２２１は、押子２２１ｃの両側に、中心軸１５に沿って伸びるガイド２２１ｂが設けられている。このガイド２２１ｂは、荷重Ｆの付加による第１の側面部２２１の移動を案内するものである。なお変形例としてガイド２２１ｂは、報知部４からの光を案内するライトガイドであっても良い。またガイド２２１ｂは、例えば、ライトガイドとして使用する場合、着色されても良い。
【００２４】
第１の側面部２２１の側面２２１ａ、第２の側面部２２２の側面２２２ａ、及び第３の側面部２２３の側面２２３ａは、例えば、図３（ａ）に示すように、持ち易いように緩やかな凸面となっている。
【００２５】
ここでタッチパッド９は、例えば、抵抗膜方式、静電容量方式などのタッチパッドである。本実施の形態のタッチパッド９は、一例として、静電容量方式のタッチパッドである。従ってスタイラスペン１のペン先２４は、例えば、導電性シリコンゴムなどの導電性樹脂によって形成されている。
【００２６】
（荷重検出部３の構成）
本実施の形態の荷重検出部３は、一例として、予め定められた荷重が付加されると第１の状態から第２の状態に切り替わることで荷重を検出するマイクロスイッチとして概略構成されている。なお荷重検出部３は、マイクロスイッチに限定されず、荷重を検出する荷重センサや歪センサなどであっても良い。
【００２７】
荷重検出部３は、例えば、図３（ａ）及び図３（ｂ）に示すように、基板１０に配置されている。この基板１０は、例えば、細長いプリント配線基板である。また基板１０は、例えば、図３（ａ）及び図３（ｂ）に示すように、本体２内の凹部２６に配置されている。この凹部２６は、中心軸１５に沿って設けられている。
【００２８】
荷重検出部３は、例えば、図２（ｂ）に示すように、第１の側面部２２１に付加された荷重Ｆが予め定められた荷重以上となると第１の状態（オフ状態）から第２の状態（オン状態）に切り替わって後述する回路６を閉じるように構成されている。
【００２９】
（報知部４の構成）
報知部４は、音、光及び振動の少なくとも１つを用いて過荷重が検出されたことを示す報知を行う。本実施の形態では、光によって報知を行う。従って報知部４は、一例として、ＬＥＤ（Light Emitting Diode）素子として概略構成されている。
【００３０】
なお報知部４は、例えば、振動によって報知を行う場合、モータや圧電素子を用いたアクチュエータなどによって構成される。また報知部４は、例えば、音によって報知を行う場合、音を出力する圧電スピーカなどによって構成される。報知部４は、音、光及び振動を組み合わせて報知するように構成されても良い。そして報知部４は、例えば、一定時間報知を行うように構成されても良い。
【００３１】
この報知部４であるＬＥＤ素子は、例えば、図３（ａ）及び図３（ｂ）に示すように、基板１０に配置されている。
【００３２】
そして報知部４は、例えば、図２（ｂ）に示すように、回路６の一部を構成している。この回路６は、例えば、荷重検出部３、報知部４及び電池５が直列に接続されて概略構成されている。
【００３３】
電池５は、本体２に配置されている。図２（ｂ）に示すように、回路６は、荷重検出部３がオン状態となると、回路が閉じて報知部４としてのＬＥＤ素子が点灯する。このＬＥＤ素子から出力された光は、把持部２２のスリット２２４及びスリット２２６から本体２の外に出力する。なおスリット２２４及びスリット２２６が形成されていない場合、光を透過するように把持部２２が構成される。
【００３４】
（スタイラスペン１の正しい持ち方について）
筆記具は、例えば、紙などの筆記対象物に対して、鉛筆なら５５〜６０度程度、ボールペンなら６０〜９０度程度の角度で持つことが望ましいとされている。ボールペンは、ペン先の鋼球が回転することで軸内のインクを滲出させて筆記する構造を有しているので、鉛筆と比べて、立てて使うことが望ましい。
【００３５】
しかしスタイラスペン１は、インクを滲出させる構造ではないため、鉛筆のように少し緩い角度で持っても良い。従って本実施の形態のスタイラスペン１は、一例として、図１（ａ）に示すように、タッチパッド９の検出面９０と中心軸１５のなす角度θが鉛筆と同様に５５〜６０度程度であることが望ましいとする。
【００３６】
スタイラスペン１の正しい持ち方とは、一例として、図１（ｂ）及び図２（ａ）に示すように、手８の小指球８０を検出面９０に接触させてスタイラスペン１と検出面９０との角度θが上述の角度となるように把持部２２を親指８１、人差指８２及び中指８３によって支持すると共に、人差指８２のＰＩＰ関節（proximal interphalangeal joint）である第二関節と、ＭＰ関節（metacarpophalangeal joint）である第三関節と、の間で軸部２０を支える持ち方である。
【００３７】
つまりユーザは、正しい持ち方として、親指８１、人差指８２及び中指８３を用いて把持部２２を把持すると共に、軸部２０を人差指８２の第二関節と第三関節の間に接触させてスタイラスペン１を保持する。
【００３８】
ここでユーザが正しい持ち方でスタイラスペン１を把持しても親指８１などに余計な力が入ると、長時間の使用に対して疲れたり、綺麗な文字を書くことが困難となったりする。そこで本実施の形態のスタイラスペン１は、余計な力、すなわち過荷重が把持部２２に付加されると、回路６が閉回路となり、ＬＥＤ素子が発光するので、ユーザが適切な荷重であるか否かを自覚することができると共に矯正指導を行う第三者が適切な荷重であるか否かを認識することができる。
【００３９】
（第１の実施の形態の効果）
本実施の形態に係るスタイラスペン１は、把持に伴う荷重が適切であるか否かを報知することができる。具体的には、スタイラスペン１は、第１の側面部２２１に付加された荷重が予め定められた荷重以上の過荷重であった場合、オン状態となって回路６が閉じ、ＬＥＤ素子の発光によって強く把持し過ぎていることを報知するので、この構成を採用しない場合と比べて、ユーザが強く把持し過ぎていることを自覚することができる。またユーザのスタイラスペン１の持ち方を矯正指導する第三者は、この発光によって握り方に加えて、把持に伴う荷重が適切であるか否かを判断することができるので、この構成を採用しない場合と比べて、より適切な矯正指導を行うことができる。
【００４０】
［第２の実施の形態］
第２の実施の形態は、報知が二段階である点で他の実施の形態と異なっている。
【００４１】
図４（ａ）は、第２の実施の形態に係るスタイラスペンの断面図の一例であり、図４（ｂ）は、スタイラスペンの回路図の一例である。この図４（ａ）は、図１（ａ）のＡ−Ａ線に相当する位置で第２の実施の形態のスタイラスペン１を切断した断面を示している。なお以下に記載する実施の形態において、第１の実施の形態と同じ機能及び構成を有する部分は、第１の実施の形態と同じ符号を付し、その説明は省略するものとする。
【００４２】
本実施の形態のスタイラスペン１の荷重検出部３は、例えば、図４（ａ）及び図４（ｂ）に示すように、第１の荷重以上の荷重が把持部２２に付加されると第１の状態又は第２の状態に切り替わると共にクリック感を生成する第１の荷重検出部３ａ、及び第１の荷重より大きい第２の荷重以上の過荷重が把持部２２に付加されると第１の状態又は第２の状態に切り替わる第２の荷重検出部３ｂを備えて概略構成されている。
【００４３】
また報知部４は、第１の荷重検出部３ａの状態が切り替わった場合、第１の報知を行い、第２の荷重検出部３ｂの状態が切り替わった場合、第２の報知を行うように概略構成されている。
【００４４】
そしてスタイラスペン１は、例えば、図４（ａ）に示すように、第１の荷重検出部３ａ及び第２の荷重検出部３ｂの間に配置され、把持部２２に付加された荷重が第２の荷重以上となってから第２の荷重検出部の状態が切り替わるように変形して荷重を調整する荷重調整部７を備えている。
【００４５】
（荷重検出部３の構成）
第１の荷重検出部３ａは、第１の側面部２２１の側面２２１ａの裏側の取付部２２１ｅに取り付けられている。この第１の荷重検出部３ａは、第１の側面部２２１に第１の荷重以上の荷重が付加されると、オフ状態（第１の状態）からオン状態（第２の状態）に状態が切り替わる低荷重用のマイクロスイッチとして概略構成されている。なお第１の荷重検出部３ａは、オン状態からオフ状態に切り替わるように構成されても良い。
【００４６】
また第２の荷重検出部３ｂは、本体２側の基板１０に配置されている。この第２の荷重検出部３ｂは、第１の側面部２２１に第２の荷重以上の荷重が付加されると、オフ状態（第１の状態）からオン状態（第２の状態）に状態が切り替わる高荷重用のマイクロスイッチとして概略構成されている。なお第２の荷重検出部３ｂは、オン状態からオフ状態に切り替わるように構成されても良い。
【００４７】
（報知部４の構成）
報知部４は、例えば、図４（ｂ）に示すように、第１の報知部４ａ及び第２の報知部４ｂを備えて概略構成されている。
【００４８】
第１の報知部４ａは、第１の荷重検出部３ａの状態が切り替わった場合、第１の報知を行うように構成されている。第２の報知部４ｂは、第２の荷重検出部３ｂの状態が切り替わった場合、第２の報知を行うように構成されている。
【００４９】
この第１の報知部４ａ及び第２の報知部４ｂは、一例として、発光色が異なるＬＥＤ素子として概略構成されている。これらのＬＥＤ素子から出力される光は、スリット２２４及びスリット２２６から外に出力される。従って本実施の形態では、過荷重が付加された場合、第１の荷重検出部３ａ及び第２の荷重検出部３ｂがオン状態となって第１の報知部４ａ及び第２の報知部４ｂが発光するので、２つのＬＥＤ素子からの光が混じって出力される。
【００５０】
なお変形例として、第１の報知部４ａ及び第２の報知部４ｂは、音、光及び振動の少なくとも１つによる報知を行うように構成されても良い。例えば、第１の報知部４ａが光による第１の報知を行い、第２の報知部４ｂが振動による第２の報知を行っても良い。また例えば、第１の報知部４ａが光による第１の報知を行い、第２の報知部４ｂが光と振動の組み合わせによる第２の報知を行っても良い。
【００５１】
さらに報知部４は、例えば、同じ種類の報知であって、光なら強さ、色、点滅の有無や点滅の周期など、音なら音色や音量など、振動なら振幅や周波数などを第１の報知と第２の報知とで異なるように構成されても良い。
【００５２】
（回路６の構成）
回路６は、一例として、図４（ｂ）に示すように、第１の回路６ａと第２の回路６ｂとを備えて概略構成されている。なお電池５は、例えば、第１の回路６ａ及び第２の回路６ｂとで共有されている。
【００５３】
第１の回路６ａは、例えば、第１の荷重検出部３ａと、第１の報知部４ａと、電池５と、を備えて概略構成されている。第１の回路６ａは、第１の側面部２２１に第１の荷重以上の荷重が付加されて第１の荷重検出部３ａが閉じると、閉回路となって第１の報知部４ａであるＬＥＤ素子が点灯する。
【００５４】
また第２の回路６ｂは、第１の側面部２２１に第２の荷重以上の荷重が付加されて第２の荷重検出部３ｂが閉じると、閉回路となって第２の報知部４ｂであるＬＥＤ素子が点灯する。
【００５５】
なお変形例として、スタイラスペン１は、第１の荷重検出部３ａが電池５などと電気的に接続されない構成であっても良い。つまりスタイラスペン１は、第１の荷重以上の荷重によって第１の荷重検出部３ａによってクリック感が生成され、第２の荷重以上の荷重によって第２の荷重検出部３ｂがオン状態となって過荷重であることを報知部４によって報知する構成であっても良い。つまりこの場合は、クリック感が第１の報知であり、ＬＥＤ素子の点灯が第２の報知となる。
【００５６】
また他の変形例として、スタイラスペン１は、例えば、制御部によって第１の報知部４ａと第２の報知部４ｂとを切り替えて報知を行う構成であっても良い。
【００５７】
（荷重調整部７の構成）
荷重調整部７は、例えば、図４（ａ）に示すように、第２の荷重検出部３ｂを囲むような形状を有して基板１０に配置されている。そして荷重調整部７の上面７０は、第１の荷重検出部３ａと接触している。また荷重調整部７の裏面７１は、第２の荷重検出部３ｂと接触している。この荷重調整部７は、一例として、シリコンゴムなどの弾性体樹脂によってドーム状に形成されているがこれに限定されない。
【００５８】
この荷重調整部７は、一例として、第１の側面部２２１に付加された荷重Ｆが第１の荷重以上となると変形を開始して第２の荷重検出部３ｂに荷重を伝達するように構成されている。なお第１の荷重は、一例として、１Ｎである。第２の荷重は、一例として、４Ｎである。
【００５９】
（動作）
ユーザがスタイラスペン１を適切な荷重で把持して第１の側面部２２１に付加された荷重Ｆが第１の荷重以上となると、第１の荷重検出部３ａがオン状態となる。この際、回路６は、第１の回路６ａが閉回路となり、クリック感がユーザに付与されると共に、第１の報知部４ａが点灯する。
【００６０】
ユーザや矯正指示を行う第三者は、スタイラスペン１を適切な荷重で把持した場合の色を見ることで、適切な荷重で把持していることを自覚すると共に認識することができる。
【００６１】
またユーザがスタイラスペン１を過度な荷重で把持して第１の側面部２２１に付加された荷重Ｆが第２の荷重以上となると、第１の荷重検出部３ａに続いて第２の荷重検出部３ｂがオン状態となる。この際、回路６は、第１の回路６ａ及び第２の回路６ｂが共に閉回路となり、第１の報知部４ａ及び第２の報知部４ｂが点灯する。
【００６２】
ユーザや矯正指示を行う第三者は、発光色がスタイラスペン１を適切な荷重で把持した場合の色から過度な荷重で把持した場合の色に変わるのを見ることで、強く把持し過ぎていることを自覚すると共に認識することができる。
【００６３】
（第２の実施の形態の効果）
本実施の形態のスタイラスペン１は、二段階でユーザに報知することができる。具体的には、スタイラスペン１は、ユーザが適切な荷重（第１の荷重）でスタイラスペン１を把持したことを第１の報知部４ａによる第１の報知でユーザに自覚させたり、第三者に認識させたりすることができる。またスタイラスペン１は、ユーザが適切な荷重で把持することで、第１の荷重検出部３ａがオフ状態からオン状態に切り替わってクリック感を生成する。従ってユーザは、第１の報知とクリック感とによって適切な荷重で把持していることを自覚することができる。
【００６４】
さらにスタイラスペン１は、ユーザが過度な荷重（第２の荷重）でスタイラスペン１を把持したことを第２の報知部４ｂによる第２の報知でユーザに自覚させたり、第三者に認識させたりすることができる。従ってユーザは、第２の報知によって強く把持し過ぎていることを自覚して修正することができる。また第三者は、第２の報知によって強く把持し過ぎていることを認識してユーザに適切な矯正指導を行うことができる。
【００６５】
[第３の実施の形態]
第３の実施の形態は、３つの荷重検出部を備えている点で他の実施の形態と異なっている。
【００６６】
図５（ａ）は、第３の実施の形態に係るスタイラスペンの断面図の一例であり、図５（ｂ）は、スタイラスペンの回路図の一例であり、図５（ｃ）は、変形例に係るスタイラスペンの回路図の一例である。この図５（ａ）は、図１（ａ）のＡ−Ａ線に相当する位置で第３の実施の形態のスタイラスペン１を切断した断面を示している。
【００６７】
本実施の形態の荷重検出部３は、例えば、図５（ａ）及び図５（ｂ）に示すように、第１の指による荷重Ｆ１を検出する第１の荷重検出部３ａ、第２の指による荷重Ｆ２を検出する第２の荷重検出部３ｂ、及び第３の指による荷重Ｆ３を検出する第３の荷重検出部３ｃを備えて概略構成されている。
【００６８】
図２（ａ）では、一例として、第１の指として人差指８２、第２の指として親指８１、及び第３の指として中指８３で把持部２２を把持する様子を図示している。しかし持ち方は、これに限定されず第１の側面部２２１〜第３の側面部２２３に対して親指８１、中指８３、人差指８２の順に接触する持ち方でも良いし、中指８３、人差指８２、親指８１の順に接触する持ち方でも良い。
【００６９】
また本実施の形態の報知部４は、例えば、図５（ａ）及び図５（ｂ）に示すように、第１の荷重検出部３ａ〜第３の荷重検出部３ｃの少なくとも１つが過荷重を検出した場合、報知を行うように概略構成されている。
【００７０】
なお第１の荷重検出部３ａ〜第３の荷重検出部３ｃは、同じ過荷重で状態が切り替わるように構成されても良いし、接触する指を指定して指ごとに状態が切り替わる過荷重を変えても良い。本実施の形態では、第１の荷重検出部３ａ〜第３の荷重検出部３ｃは、同じ過荷重（一例として４Ｎ）で状態が切り替わるように構成されている。
【００７１】
本体２は、例えば、図５（ａ）に示すように、軸部２０と繋がる中心部２７を把持部２２に有している。この中心部２７は、断面が三角形状を有している。この中心部２７の面２７ａには、基板１０を介して第１の荷重検出部３ａが配置されている。また面２７ｂには、第２の荷重検出部３ｂが配置されている。さらに面２７ｃには、第３の荷重検出部３ｃが配置されている。
【００７２】
第１の荷重検出部３ａは、第１の側面部２２１と対向している。そして第１の荷重検出部３ａは、第１の側面部２２１の側面２２１ａの裏側に設けられた押子２２１ｆを介して荷重が付加されるように構成されている。
【００７３】
第２の荷重検出部３ｂは、第２の側面部２２２と対向している。そして第２の荷重検出部３ｂは、第２の側面部２２２の側面２２２ａの裏側に設けられた押子２２２ｆを介して荷重が付加されるように構成されている。
【００７４】
第３の荷重検出部３ｃは、第３の側面部２２３と対向している。そして第３の荷重検出部３ｃは、第３の側面部２２３の側面２２３ａの裏側に設けられた押子２２３ｆを介して荷重が付加されるように構成されている。
【００７５】
この第１の荷重検出部３ａ〜第３の荷重検出部３ｃは、例えば、図５（ｂ）に示すように、並列に接続されている。従って回路６は、第１の荷重検出部３ａ〜第３の荷重検出部３ｃの少なくとも１つの荷重検出部がオン状態となると、報知部４であるＬＥＤ素子が発光する。この報知部４は、基板１０に配置されている。
【００７６】
このＬＥＤ素子から出力された光は、例えば、図５（ａ）に示すように、第１の側面部２２１〜第３の側面部２２３の端部に設けられたスリット２２４〜スリット２２６から出力される。
【００７７】
なお変形例として、報知部４は、音、光及び振動の少なくとも１つによる報知を行うように構成されても良い。
【００７８】
（第３の実施の形態の効果）
本実施の形態のスタイラスペン１は、親指８１〜中指８３の少なくとも１つの指が側面部に付加する荷重が過荷重であった場合、報知することができるので、この構成を採用しない場合と比べて、ユーザが強く把持し過ぎていることを自覚することができる。また第三者は、報知によって強く把持し過ぎていることを認識してユーザに適切な矯正指導を行うことができる。
【００７９】
ここで本実施の形態の変形例としてスタイラスペン１は、例えば、図５（ｃ）に示すように、第１の荷重検出部３ａ〜第３の荷重検出部３ｃに対応して第１の報知部４ａ〜第３の報知部４ｃを備えて概略構成されている。この第１の報知部４ａ〜第３の報知部４ｃは、例えば、それぞれが異なる報知を行う。
【００８０】
第１の報知部４ａ〜第３の報知部４ｃは、一例として、異なる光を出力するＬＥＤ素子として構成されている。そして第１の報知部４ａは、第１の荷重検出部３ａと共に基板１０に配置されている。第２の報知部４ｂは、第２の荷重検出部３ｂと共に面２７ｂに配置されている。第３の報知部４ｃは、第３の荷重検出部３ｃと共に面２７ｃに配置されている。なお第１の報知部４ａ〜第３の報知部４ｃは、音、光及び振動の少なくとも１つによる報知を行うようにそれぞれが構成されても良い。
【００８１】
このスタイラスペン１は、第１の荷重検出部３ａがオン状態となると第１の報知部４ａが発光し、主にスリット２２４及びスリット２２６から光が出力される。
【００８２】
スタイラスペン１は、第２の荷重検出部３ｂがオン状態となると第２の報知部４ｂが発光し、主にスリット２２４及びスリット２２５から光が出力される。
【００８３】
そしてスタイラスペン１は、第３の荷重検出部３ｃがオン状態となると第３の報知部４ｃが発光し、主にスリット２２５及びスリット２２６から光が出力される。
【００８４】
従ってこの変形例のスタイラスペン１は、過荷重が付加された側面部に応じた光を出力することができるので、この構成を採用しない場合と比べて、ユーザが光の色によってどの指に力が入り過ぎているのかを自覚することができる。また第三者は、光の色によってどの指に力が入り過ぎているのかを認識してユーザに適切な矯正指導を行うことができる。
【００８５】
以上述べた少なくとも１つの実施の形態のスタイラスペン１によれば、把持に伴う荷重が適切であるか否かを報知することができる。
【００８６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００８７】
１…スタイラスペン、２…本体、３…荷重検出部、３ａ〜３ｃ…第１の荷重検出部〜第３の荷重検出部、４…報知部、４ａ〜４ｃ…第１の報知部〜第３の報知部、５…電池、６…回路、６ａ…第１の回路、６ｂ…第２の回路、７…荷重調整部、８…手、９…タッチパッド、１０…基板、１５…中心軸、２０…軸部、２２…把持部、２４…ペン先、２６…凹部、２７…中心部、２７ａ〜２７ｃ…面、７０…上面、７１…裏面、８０…小指球、８１…親指、８２…人差指、８３…中指、９０…検出面、２２１…第１の側面部、２２１ａ…側面、２２１ｂ…ガイド、２２１ｃ…押子、２２１ｄ…先端部、２２１ｅ…取付部、２２１ｆ…押子、２２２…第２の側面部、２２２ａ…側面、２２２ｆ…押子、２２３…第３の側面部、２２３ａ…側面、２２３ｆ…押子、２２４〜２２６…スリット
【図１】
2019168506.tif 000003
【図２】
2019168506.tif 000004
【図３】
2019168506.tif 000005
【図４】
2019168506.tif 000006
【図５】
2019168506.tif 000007